(57)【要約】【課題】格納フォルダのアクセス権が割り当てられているユーザーに応じて液晶画面の視野角を自動的に調整すること。【解決手段】制御部１７は、データ格納部１６のフォルダのアクセス権が特定のユーザーにのみ割り当てられている場合、表示部１１の液晶画面の視野角を自動的に狭くし、データ格納部１６のアクセス権が全ユーザーに割り当てられている場合、表示部１１の液晶画面の視野角を自動的に広くする。【選択図】図１
2007233067.tif 000002
【特許請求の範囲】
【請求項１】
データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を有することを特徴とする端末装置。
【請求項２】
シークレットフォルダに格納されている静止画、動画、メールなどのデータが前記液晶画面に表示される際、それらが前記液晶画面に表示されることを自動的に識別し、前記液晶画面の視野角を自動的に狭くする機能および、通常のフォルダに格納されている静止画、動画、メールなどのデータが前記液晶画面に表示される際、それらが前記液晶画面に表示されていることを自動的に識別し、前記液晶画面の視野角を自動的に広くする機能を有することを特徴とする請求項１記載の端末装置。
【請求項３】
データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を有することを特徴とする液晶画面の視野角変更方法。
【請求項４】
シークレットフォルダに格納されている静止画、動画、メールなどのデータが前記液晶画面に表示される際、それらが前記液晶画面に表示されることを自動的に識別し、前記液晶画面の視野角を自動的に狭くする機能および、通常のフォルダに格納されている静止画、動画、メールなどのデータが前記液晶画面に表示される際、それらが前記液晶画面に表示されていることを自動的に識別し、前記液晶画面の視野角を自動的に広くする機能を有することを特徴とする請求項３記載の液晶画面の視野角変更方法。
【請求項５】
コンピュータに、データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を実現させることを特徴とするプログラム。
【請求項６】
コンピュータに、シークレットフォルダに格納されている静止画、動画、メールなどのデータが前記液晶画面に表示される際、それらが前記液晶画面に表示されることを自動的に識別し、前記液晶画面の視野角を自動的に狭くする機能および、通常のフォルダに格納されている静止画、動画、メールなどのデータが前記液晶画面に表示される際、それらが前記液晶画面に表示されていることを自動的に識別し、前記液晶画面の視野角を自動的に広くする機能を実現させることを特徴とする請求項５記載のプログラム。
【発明の詳細な説明】
【技術分野】
【０００１】
本発明は、プライベート性の高いデータを保持するシークレットフォルダを有する携帯端末において、シークレットフォルダに格納されているデータを液晶画面に表示する技術に関する。
【背景技術】
【０００２】
従来、携帯電話機などの移動通信端末装置にユーザーのデータが多数保存できるようになり、データの秘匿性によって保存先フォルダを選べるようになり、特に他人に見られたくないデータを保存する手段としてシークレットフォルダという特別なフォルダに保存する方法が確立された。
【０００３】
また、携帯電話機などの移動通信端末装置のインターネット接続機能を使って場所を問わずブラウジングが可能となった。
【０００４】
しかし、場所を問わず利用できることにより、外出中に電子メールや写真を携帯電話装置で閲覧する際、周囲の人に見られてしまう問題があった。
【０００５】
液晶画面の視野角を狭くするフィルター等が発売された。しかし、このフィルターは周囲の人に見られる問題はある程度解決したが、逆にユーザー自身の視野を常に狭めてしまう問題もあった。
【０００６】
ここで、情報を表示する情報表示手段と、情報表示手段の表示面に配設された視野角変更手段と、視野角変更手段の視野角を変更することにより当該視野角変更手段を透過して視認される情報表示手段の視野角を変更する視野角制御手段とを携帯端末装置に設け、所定の操作手段を介して入力された入力操作に応じて、又は携帯端末装置が実行中のアプリケーションの種類に応じて視野角変更手段の視野角を制御するようにしたことにより、使用状況に応じて容易に情報表示手段の視野角を変更することができる技術が提案されている（例えば、特許文献１参照）。
【特許文献１】特開２００４−０６２０９４号公報
【発明の開示】
【発明が解決しようとする課題】
【０００７】
しかしながら、上述した従来例においては次のような問題点があった。
【０００８】
アクセス権が特定のユーザーにのみ割り当てられている場合と、格納フォルダのアクセス権が全ユーザーに割り当てられている場合が液晶画面に表示される場合に液晶画面の視野角を自動的に調整することが困難であった。
【０００９】
本発明は、以上説明した事情に鑑みてなされたものであり、その目的は、格納フォルダのアクセス権が割り当てられているユーザーに応じて液晶画面の視野角を自動的に調整することにある。
【課題を解決するための手段】
【００１０】
上記課題を解決するために、本発明は、データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を有する端末装置を提供する。
【００１１】
また、本発明は、データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を有する液晶画面の視野角変更方法を提供する。
【００１２】
また、本発明は、コンピュータに、データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする機能を実現させるプログラムを提供する。
【発明の効果】
【００１３】
本発明によれば、格納フォルダのアクセス権が割り当てられているユーザーに応じて液晶画面の視野角を自動的に調整することができる。
【発明を実施するための最良の形態】
【００１４】
以下、本発明の第１の実施の形態について図面を参照して詳細に説明する。
【００１５】
図１を参照すると、本実施の形態における端末装置は、携帯電話装置として実現されている。
【００１６】
本携帯電話装置は、情報や必要や電子メール、静止画や動画など各種コンテンツを表示する表示部１１と、携帯電話装置操作に対する操作を受け付ける操作部１２と、着呼や携帯電話装置の状態変化を報知する報知部１３と、音声の入出力を行う入出力部１４と、ネットワークと通信を行うための送受信部１５と、ユーザーのデータを格納するデータ格納部１６と、それら各部の動作を制御する制御部１７から構成されている。
【００１７】
次に、本実施の形態における、携帯電話装置における利用シーンに応じた液晶画面の視野角変更処理の動作を図２〜図４を参照して詳細に説明する。
【００１８】
従来の携帯電話装置において、ユーザーの操作により、任意の描画命令が発生した（（ステップ２１）場合、その描画命令はそのまま画像処理系に送信され、液晶画面に表示（ステップ２２）されていた。
【００１９】
本実施の形態では、ユーザーの操作により、描画命令が発生した（ステップ２３）場合、シークレットフォルダに格納されているデータか、通常のフォルダに格納されているデータかを検知し、格納元に相応しい液晶画面の視野角を自動的に変更し（ステップ２４）、液晶画面に描画する（ステップ２５）。
【００２０】
図２において、表示されるデータの格納フォルダを識別し、それに応じて液晶画面の視野角を変更（ステップ２４）する制御を説明する。
【００２１】
携帯電話装置の液晶画面に任意のデータが表示されることを検知した（ステップ３１）際、検知されたデータの格納フォルダが、通常のフォルダかシークレットフォルダかを取得（ステップ３２）、判定する（ステップ３３）。
【００２２】
液晶画面に表示されるデータの格納元が通常のフォルダの場合、視認性重視のために液晶画面の視野角を広く制御する（ステップ３５）。
【００２３】
液晶画面に表示されるデータの格納元がシークレットフォルダの場合、プライバシー性を重視し、液晶画面の視野角を狭く制御する（ステップ３４）。
【００２４】
上記の実施の形態によれば、携帯電話装置に格納されている静止画、動画、メールなどのデータが液晶画面に表示される際、表示されるデータの格納元を携帯電話装置が自動的に識別し、液晶画面の視野角を変更するので、従来のようにユーザーが液晶画面にフィルターを貼り、視野角を手動で調整する必要がなく、極めて簡単に液晶画面の視野角を変更することが可能となる。
【００２５】
次に、本発明の第２の実施の形態について説明する。データ格納元のフォルダのアクセス権が特定のユーザーにのみ割り当てられている場合、液晶画面の視野角を自動的に狭くし、格納フォルダのアクセス権が全ユーザーに割り当てられている場合、液晶画面の視野角を自動的に広くする。これは、ノート型ＰＣ、電子手帳、ＰＤＡに応用することが可能である。
【００２６】
なお、上述する各実施の形態は、本発明の好適な実施の形態であり、本発明の要旨を逸脱しない範囲内において種々変更実施が可能である。例えば、上記の各実施の形態における携帯電話装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００２７】
上述する各実施の形態は、携帯電話装置の各機能が１つのコンピュータシステムとして実現されているシステム構成について説明したが、機能毎に複数の装置などが追加された構成にも適用可能であることはもちろんである。
【００２８】
本発明は、携帯電話機あるいは携帯型情報通信機器一般に適用可能である。
【図面の簡単な説明】
【００２９】
【図１】本発明の第１の実施形態における携帯電話装置の構成を示す図である。
【図２】本発明の第１の実施形態におけるユーザーの操作から描画までの処理動作を示すフローチャートである。
【図３】本発明の第１の実施形態における液晶画面の視野角を変更する処理動作を示すフローチャートである。
【符号の説明】
【００３０】
１１    表示部
１２    操作部
１３    報知部
１４    入出力部
１５    送受信部
１６    データ格納部
１７    制御部
【図１】
2007233067.tif 000003
【図２】
2007233067.tif 000004
【図３】
2007233067.tif 000005